(57)【特許請求の範囲】
【請求項１】
（ａ）シャワーヘッドのヘッド本体と、（ｂ）複数の散水孔を有して該ヘッド本体の先端に形成された開口に取り付けられ、該ヘッド本体内の給水路を通じて送られた給水を該複数の散水孔からシャワー吐水する散水板と、（ｃ）通水孔が分散形成され、前記散水板の裏面に重なる状態に配置された可撓性を有するストレーナメッシュと、（ｄ）中心部の筒状部及び該筒状部から全周に亘り径方向に拡がった壁を有し、前記散水板及びメッシュの裏側に配置される散水板アダプタと、を備えるシャワーヘッドのシャワー吐水部構造であって、
前記散水板アダプタは、少なくとも前記壁の内周端と外周端との間において、前記ストレーナメッシュを前記散水板に向けて押圧するリブ状のメッシュ押えを有し、
前記メッシュ押えは、第１メッシュ押えと、第１メッシュ押えより径方向外側に離れて配置される第２メッシュ押えと、を含み、
前記第１メッシュ押えのメッシュ押え面と前記第２メッシュ押えのメッシュ押え面とは、互いに独立していることを特徴とするシャワーヘッドのシャワー吐水部構造。
【請求項２】
（ａ）シャワーヘッドのヘッド本体と、（ｂ）複数の散水孔を有して該ヘッド本体の先端に形成された開口に取り付けられ、該ヘッド本体内の給水路を通じて送られた給水を該複数の散水孔からシャワー吐水する散水板と、（ｃ）通水孔が分散形成され、前記散水板の裏面に重なる状態に配置された可撓性を有するストレーナメッシュと、（ｄ）中心部の筒状部及び該筒状部から全周に亘り径方向に拡がった壁を有し、前記散水板及びメッシュの裏側に配置される散水板アダプタと、を備えるシャワーヘッドのシャワー吐水部構造であって、
前記散水板アダプタは、少なくとも前記壁の内周端と外周端との間において、前記ストレーナメッシュを前記散水板に向けて押圧するリブ状のメッシュ押えを有し、
前記メッシュ押えは、第１メッシュ押えと、第１メッシュ押えより径方向外側に離れて配置される第２メッシュ押えと、を含み、
前記第１メッシュ押えと前記第２メッシュ押えとの間は通水可能に構成されていることを特徴とするシャワーヘッドのシャワー吐水部構造。
【請求項３】
前記第１メッシュ押えおよび前記第２メッシュ押えはそれぞれ、円弧状に延びる板状に形成されることを特徴とする請求項１または２に記載のシャワーヘッドのシャワー吐水部構造。
【請求項４】
前記第１メッシュ押えおよび前記第２メッシュ押えは、同一放射線上に形成されることを特徴とする請求項１から３のいずれかに記載のシャワーヘッドのシャワー吐水部構造。
【請求項５】
前記第１メッシュ押えは、周方向に間隔を空けて同心状に複数設けられ、
前記第２メッシュ押えは、周方向に間隔を空けて同心状に複数設けられることを特徴とする請求項１から４のいずれかに記載のシャワーヘッドのシャワー吐水部構造。
【請求項６】
複数の前記第２メッシュ押え間に形成される隙間は、複数の前記第１メッシュ押え間に形成される隙間より大きいことを特徴とする請求項５に記載のシャワーヘッドのシャワー吐水部構造。
【請求項７】
前記散水板アダプタは、前記壁の外周側に設けられ、前記ストレーナメッシュを前記散水板に押圧する環状の押圧部を有することを特徴とする請求項１から６のいずれかに記載のシャワーヘッドのシャワー吐水部構造。
【発明の詳細な説明】
【技術分野】
【０００１】
この発明はシャワーヘッドの先端部のシャワー吐水部構造に関する。
【背景技術】
【０００２】
シャワーヘッドの先端部のシャワー吐水部構造として、従来、(イ)シャワーヘッドのヘッド本体と、(ロ)複数の散水孔を有してヘッド本体の先端に形成された開口に取り付けられ、ヘッド本体内の給水路を通じて送られてきた給水を複数の散水孔からシャワー吐水する散水板と、(ハ)中心部の筒状部及び筒状部から全周に亘り径方向に広がった壁とを有し、壁と上記散水板との間に水室形成する状態に散水板の裏側に配置され、筒状部の内側の水流通路からの水流を水室に拡がらせ、散水孔に案内する水流案内部材としての散水板アダプタと、を備えたものが公知である。
【０００３】
このようなシャワー吐水部構造を有するシャワーヘッドにおいては、これをシャワーフックに掛止した状態で水栓のバルブを閉じて止水すると、シャワーヘッドの先端部のシャワー吐水部の内部に残った残水が、散水板下部に位置している散水孔からポタポタと滴り落ちる、所謂「ポタ漏れ」を生じることが従来から問題視されていた。
このように散水板の下部の散水孔から残水のポタ漏れが生じるのは、シャワー吐水部内部の残水の重みが特に散水板の下部の散水孔に加わることにより生じる。
この問題を解決するための一手段として、下記特許文献１には散水板の裏面に重なる状態にストレーナメッシュを配置した点が開示されている。
【０００４】
ストレーナメッシュは異物除去用に微小な通水孔が分散形成されたもので、このストレーナメッシュではメッシュの網目にて形成される微小な通水孔に水の表面張力で水膜が形成され、従って止水状態の下でこの通水孔を通過する水に対して表面張力による抵抗が働く。
それ故このようなストレーナメッシュを散水板の裏面に重なる状態に配置しておくことで、残水が散水孔から滴り落ちるのをストレーナメッシュの抵抗作用により抑制することが期待できる。
【０００５】
しかしながらこのストレーナメッシュは厚みの薄い、可撓性に富んだもので撓み易く、これに起因してストレーナメッシュの組付状態の如何によって、上記のポタ漏れを十分に防止できない場合のあることが本発明者の研究により判明した。
【０００６】
尚、本発明に対する先行技術として下記特許文献２には「シャワーヘッドの散水構造」についての発明が示され、そこにおいて散水板の裏面にリブを立てて、そのリブにより散水板裏面の水流入空間を複数の分割空間に区画することで、止水後に散水板下部の散水孔だけでなく、これよりも上部の散水孔を含む多くの散水孔から均等に残水を流出させて、ポタ漏れを早く終了するようになした点が開示されている。
但しこの特許文献２に開示のものはストレーナメッシュを利用してポタ漏れ防止するものでなく、また構造上ストレーナメッシュによる作用にてポタ漏れ防止することのできない構造のもので、本発明とは別異のものである。
【先行技術文献】
【特許文献】
【０００７】
【特許文献１】特開平９−８５１３２号公報
【特許文献２】特開２００６−６６１８号公報
【発明の概要】
【発明が解決しようとする課題】
【０００８】
本発明は以上のような事情を背景とし、ストレーナメッシュによるポタ漏れ防止の働きをより有効に働かせ、従来に増してポタ漏れを効果高く抑制することのできるシャワーヘッドのシャワー吐水部構造を提供することを目的としてなされたものである。
【課題を解決するための手段】
【０００９】
上記課題を解決するために、本発明のある態様のシャワーヘッドのシャワー吐水部構造は、（ａ）シャワーヘッドのヘッド本体と、（ｂ）複数の散水孔を有して該ヘッド本体の先端に形成された開口に取り付けられ、該ヘッド本体内の給水路を通じて送られた給水を該複数の散水孔からシャワー吐水する散水板と、（ｃ）通水孔が分散形成され、散水板の裏面に重なる状態に配置された可撓性を有するストレーナメッシュと、（ｄ）中心部の筒状部及び該筒状部から全周に亘り径方向に拡がった壁を有し、散水板及びメッシュの裏側に配置される散水板アダプタと、を備える。散水板アダプタは、少なくとも壁の内周端と外周端との間において、ストレーナメッシュを散水板に向けて押圧するリブ状のメッシュ押えを有する。メッシュ押えは、第１メッシュ押えと、第１メッシュ押えより径方向外側に離れて配置される第２メッシュ押えと、を含む。
【００１０】
第１メッシュ押えおよび第２メッシュ押えはそれぞれ、円弧状に延びる板状に形成されてもよい。
【００１１】
第１メッシュ押えおよび第２メッシュ押えは、同一放射線上に形成されてもよい。
【００１２】
第１メッシュ押えと第２メッシュ押えとの間は通水可能に構成されていてもよい。
【００１３】
第１メッシュ押えは、周方向に間隔を空けて同心状に複数設けられ、第２メッシュ押えは、周方向に間隔を空けて同心状に複数設けられてもよい。
【００１４】
複数の第２メッシュ押え間に形成される隙間は、複数の第１メッシュ押え間に形成される隙間より大きい。
【００１５】
散水板アダプタは、壁の外周側に設けられ、ストレーナメッシュを散水板に押圧する環状の押圧部を有してもよい。
【００１６】
本発明の別の態様もまた、シャワーヘッドのシャワー吐水部構造である。このシャワーヘッドのシャワー吐水部構造は、（ａ）シャワーヘッドのヘッド本体と、（ｂ）複数の散水孔を有して該ヘッド本体の先端に形成された開口に取り付けられ、該ヘッド本体内の給水路を通じて送られた給水を該複数の散水孔からシャワー吐水する散水板と、（ｃ）通水孔が分散形成され、散水板の裏面に重なる状態に配置された可撓性を有するストレーナメッシュと、（ｄ）中心部の筒状部及び該筒状部から全周に亘り径方向に拡がった壁を有し、散水板及びメッシュの裏側に配置される散水板アダプタと、を備える。散水板アダプタは、少なくとも壁の内周端と外周端との間において、ストレーナメッシュを散水板に向けて押圧する複数のリブ状のメッシュ押えを有する。複数のメッシュ押えは、筒状部の周りに配置され、板状に形成される。
【発明の作用・効果】
【００１７】
以上のように本発明は、異物除去用に微小な通水孔が分散形成されたストレーナメッシュを散水板の裏面に重なる状態に配置するとともに、水流案内部材としての散水板アダプタの少なくとも壁の内周端と外周端との間の径方向位置において、ストレーナメッシュを散水板に向けて押圧するリブ状のメッシュ押えを散水板アダプタに設けたものである。
【００１８】
本発明者が、内部にストレーナメッシュを設けたシャワー吐水部構造においてポタ漏れの生じる現象を観察したところ、可撓性を有するストレーナメッシュが散水板裏面から浮き上がり離れる方向に撓み、変形した状態となることがあり、そうした場合にポタ漏れが起こり易いことを突き止めた。
【００１９】
更にこの現象を詳しく調べたところ、ストレーナメッシュが散水板から部分的に若しくは全体的に離れることで、ストレーナメッシュと散水板との間に部分的に若しくは全体的に拡大空間が生じてその拡大空間が残水で埋まり、止水後においてその拡大空間内の残水が散水板下部の散水孔より流出することでポタ漏れを起すことが判明した。
【００２０】
従ってポタ漏れを防止するためには、ストレーナメッシュの散水板裏面からの浮上り方向の変形を抑制して、ストレーナメッシュと散水板との間に拡大空間が生じるのを防止し若しくはこれを可及的に小さくすることが一義的に重要であるとの知見を得た。
このような拡大空間の発生を防止し若しくは可及的に小さくできれば、止水後にストレーナメッシュと散水板との間の空間（隙間）を埋めた残水が散水孔より流出することで起こるポタ漏れを抑制することができる。
また拡大空間の発生を防止してストレーナメッシュと散水板とを接触状態に維持し若しくはそれらの間の空間（隙間）を可及的に小さく維持できれば、ストレーナメッシュと散水板裏面との間に水膜生成し得て、その水膜による水の移動に対する抵抗作用によってポタ漏れを抑制することが期待できる。
【００２１】
本発明はこのような知見に基づき、水流案内部材としての散水板アダプタにおける上記の壁の内周端と外周端との間の径方向位置において、ストレーナメッシュを散水板に向けて押圧するリブ状のメッシュ押えを設けたもので、このようにすることによりストレーナメッシュが散水板裏面から浮上る方向に変形するのを効果的に抑制でき、このことによってポタ漏れの現象を従来に増して効果高く抑制することが可能となる。
【００２２】
尚、散水板アダプタの側に単なる突起を設けて、この突起によりストレーナメッシュを押圧するようになすことも考えられるが、このような単なる突起の場合、ストレーナメッシュを押えることができてもその押えが効くのは局部的、スポット的に限定され、十分な効果を得ることが難しい。
しかるに本発明ではメッシュ押えを突条形態即ちリブ状に設けているため、広い範囲に亘ってストレーナメッシュを押圧でき、ポタ漏れを有効に抑制することが可能である。
【図面の簡単な説明】
【００２３】
【図１】本発明の一実施形態のシャワー吐水部構造をシャワーヘッドとともに示した図である。
【図２】同実施形態のシャワー吐水部構造を示した図である。
【図３】同実施形態のシャワー吐水部の構造を分解して示した斜視図である。
【図４】同実施形態における散水板アダプタの単品図である。
【図５】同実施形態におけるメッシュ押えの働きを説明するための説明図である。
【図６】同実施形態の効果を説明するために比較例として示した比較例図である。
【図７】本発明の他の実施形態の要部の図である。
【図８】本発明の更に他の実施形態の要部の図である。
【発明を実施するための形態】
【００２４】
次に本発明の実施形態を図面に基づいて詳しく説明する。
図１において、１０はシャワーヘッドで、通常の非使用時においてはシャワーフック１２に掛止されて図１に示す状態で保持される。
１４はシャワーヘッド１０におけるヘッド本体で、グリップ部１６を有しており、そのグリップ部１６の内部に内管１８が収められている．そしてこの内管１８の内側に、シャワーヘッド１０の先端部のシャワー吐水部２０に向けて給水を行う給水路２２が形成されている。
【００２５】
ヘッド本体１４は先端に円形の開口２４を有しており、その開口２４を閉じるようにして円形の散水板２６がヘッド本体１４にねじ結合され、組み付けられている。
詳しくは、図２に示しているようにヘッド本体１４と散水板２６とには、それぞれ短い筒状を成す外周壁部２８と内周壁部３０とが設けられ、そして外周壁部２８の内周面に形成された雌ねじ部３２に対して、内周壁部３０の外周面に形成された雄ねじ部３４がねじ込まれ、以って散水板２６がヘッド本体１４に対してねじ結合され、組み付けられている。ここで散水板２６は裏面（図中上面）が凹凸のない平面状に形成されている。
【００２６】
散水板２６には、ほぼ全面に亘ってこれを貫通する散水孔３６が分散形成されており、給水路２２を通じて送られてきた給水がこれら散水孔３６から外部にシャワー吐水される。
シャワー吐水部２０の内部には、散水板２６の裏面に接触状態で重なるようにしてストレーナメッシュ３８が配置され、またこのストレーナメッシュ３８の更に裏面側に、水流案内部材としての散水板アダプタ４０が配置されている。
【００２７】
ストレーナメッシュ３８は、水流に含まれるゴミや砂等の異物をろ過し除去するための部材で、異物除去用に微小な通水孔が全面に亘って分散形成されている。
この実施形態において、ストレーナメッシュ３８は線材を網状に組んで成るもので厚みが薄く可撓性に富んでいる。
このストレーナメッシュ３８には、図３にも示すように外周部にフレーム部材（ここでは樹脂製）４２が設けられており、このフレーム部材４２によってメッシュ部４４が形状保持されている。
【００２８】
尚、ストレーナメッシュ３８は後に詳述するようにこのフレーム部材４２において、散水板アダプタ４０により散水板２６の外周部の固定部４６に押し付けられ、そこに固定されている。
【００２９】
水流案内部材としての上記の散水板アダプタ４０は、図４に示しているように中心部に円筒形状をなす筒状部４８を有しており、この筒状部４８の内側に、給水路２２からの水流を通過させる水流通路５０を形成している。
ここで筒状部４８の図中上端と下端とは円形の開口とされている。
【００３０】
散水板アダプタ４０はまた、筒状部４８から全周に亘り径方向外方に拡がった板状の壁５１を有しており、この壁５１よりも外周側の位置において、上記ストレーナメッシュ３８のフレーム部材４２を散水板２６の固定部４６に押圧する円環状の押圧部５２を、図中下向きに立ち下がる形状で有している。
一方図中上側には短い筒状（円筒状）を成して上向きに立ち上がる立上り部５４を有している。
【００３１】
押圧部５２の図中下面には環状の溝５６が設けられており、この溝５６にフレーム部材４２を嵌め入れる状態で、押圧部５２がフレーム部材４２の部分においてストレーナメッシュ４４を散水板２６の固定部４６に押圧し、固定している。
【００３２】
一方立上り部５４の外周面には環状のＯリング溝５８が設けられ、そこに嵌められたＯリング６０を介して立上り部５４が、散水板２６の内周壁部３０に対して水密且つ内嵌状態に嵌合され、散水板２６に組み付けられている。
【００３３】
尚、図２に示しているように上記筒状部４８もまた、Ｏリング６２を介してヘッド本体１４の円筒形状の嵌合部６４に水密且つ内嵌状態に嵌合されている。
この嵌合部６４には、給水路２２からの水を流入させる流入口６６が設けられており、更にこの流入口６６よりも下流側において嵌合部６４の内部にはガイド部材６８が設けられ、給水路２２からの水が、流入口６６を通じガイド部材６８を経て散水板アダプタ４０の筒状部４８内側の水流通路５０へと導かれる。
【００３４】
散水板アダプタ４０の上記の板状の壁５１は、図２に示す組付状態で、外周側に進むに連れて散水板２６に接近する形状の緩やかな傾斜をなすテーパ形状をなしている。そしてこの壁５１と散水板２６裏面側のストレーナメッシュ３８との間に水室７０が形成されている。
この散水板アダプタ４０は、中心部の水流通路５０からの水流を水室７０に拡がらせ、ストレーナメッシュ３８を介し散水板２６の各散水孔３６に案内する働きを有する。
【００３５】
散水板アダプタ４０には、更に上記の壁５１の内面（図中下面）から立ち下がる形態で、壁５１の内周端（ここでは厳密には筒状部４８の内周端）から壁５１の外周端（押圧部５２の内周端）に到るまで径方向に延びるリブ状のメッシュ押え７２が、周方向に一定間隔毎に放射状（筒状部４８の軸線を中心とした放射状）に複数（ここでは周方向に２２．５度毎に合計１６個）設けられている。
ここで各メッシュ押え７２は散水板アダプタ４０に一体に構成されている。
【００３６】
これらのリブ状のメッシュ押え７２は、ストレーナメッシュ３８を散水板２６に向けて押圧する働きを有するもので、図中下面が筒状部４８の軸線と直角方向の直線状の面とされ、且つ各メッシュ押え７２の下面が全て押圧部５２の図中下端と同じ位置で同一平面上に位置させられている。
【００３７】
上記複数のリブ状のメッシュ押え７２は、壁５１とストレーナメッシュ３８との間に形成される水室７０を複数に区画する仕切りとしての働きも有しており、これら複数のリブ状のメッシュ押え７２によって、水室７０が周方向に互いに独立し、上記水流通路５０にそれぞれ連通した複数の小水室７０Ａに区画されている。
これら放射状に延びるリブ状のメッシュ押え７２によって互いに区画された各小水室７０Ａもまた、筒状部４８の軸線を中心とした放射形状をなしている。
【００３８】
散水板アダプタ４０にはまた、壁５１の図中上面側にも筒状部４８の外周面から上記の立上り部５４に到るまで径方向に延びる複数の補強用のリブ７４が、周方向に一定間隔毎に放射状に設けられている。
ここで補強用のリブ７４は、外周側の部分の図４（Ｂ）中上下方向の高さ即ち軸方向の高さが、立上り部５４の高さと同じ高さとされており、また内周側の部分の高さがこれよりも高くされている。
【００３９】
これらリブ７４の内周側の高さの高い部分は位置決め部７４Ａをなすもので、図２に示しているようにこの位置決め部７４Ａがヘッド本体１４に当接することで、ヘッド本体１４に対する散水板アダプタ４０の組付位置が規定される。
【００４０】
この実施形態では、図２において散水板２６をヘッド本体１４にねじ込むことで、散水板２６及びその裏側（図中上側）のストレーナメッシュ３８，散水板アダプタ４０等をヘッド本体１４に組み付けることができる。
このとき散水板アダプタ４０は、位置決部７４Ａをヘッド本体１４に対して当接させ、また外周部の押圧部５２にてストレーナメッシュ３８の外周部を散水板２６の固定部４６に押圧し固定する。
またこのとき、散水板アダプタ４０の複数のリブ状のメッシュ押え７２が、筒状部４８の内周端から壁５１の外周端に到るまで、ストレーナメッシュ３８を周方向の複数個所（１６個所）で散水板２６に向けて押圧し、これを散水板２６の裏面に密着状態に接触させる。
【００４１】
以上のように本実施形態では、散水板アダプタ４０に設けたリブ状のメッシュ押え７２が、周方向の１６個所で且つ壁５１の内周端（厳密には筒状部４８の内周端）から壁５１の外周端に到るまで径方向の長い距離に亘ってストレーナメッシュ３８を散水板２６に向け押圧するため、散水板２６の裏面に接触状態で重ねるように配置された可撓性を有するストレーナメッシュ３８が、散水板２６の裏面から離れ浮き上る方向に変形するのを効果的に抑制することができる。
【００４２】
例えば図６の比較例図に示しているように散水板アダプタ４０に突起９０をメッシュ押えとして設け、これら突起９０によってストレーナメッシュ３８を押圧するようになした場合、それら突起９０による押えが効くのは局部的、スポット的であり、図６（Ｂ）に示しているようにストレーナメッシュ３８が撓み変形してしまうのを十分に抑制することは困難である。
【００４３】
しかるに本実施形態ではメッシュ押え７２が、径方向に延びるリブ状をなし且つ周方向の複数個所に放射状に設けられているため、図２の部分拡大図に示しているように、それらメッシュ押え７２によってストレーナメッシュ３８を全体的にほぼ均等に押えることができ、ストレーナメッシュ３８が散水板２６から離れ浮き上る方向に部分的に若しくは全体的に撓み、散水板２６から離間してそれらの間に拡大空間を生じてしまうのを有効に防止することができる。
【００４４】
従って止水後において、図６の比較例図に示しているようにストレーナメッシュ３８が撓むことによって生じた拡大空間（ストレーナメッシュ３８と散水板２６との間の拡大空間）Ｋに残水が多く残って、その残水が散水板２６の下部の散水孔３６から流出することにより生ずるポタ漏れの現象を有効に抑制することができる。
【００４５】
また本実施形態によれば、ストレーナメッシュ３８の裏側に形成される水室７０が、複数のリブ状のメッシュ押え７２を仕切りとして図５に示しているように複数の小水室７０Ａに区画されているため、水室７０が区画されていない単一の大きな空間である場合のように、水室７０の下部に対して水室７０内の水の全体の重みが加わるといったことがなく、図５（Ａ）中最下部の小水室７０Ａに加わる水の重みが軽量である（最下部の小水室７０Ａに対して横方向にある小水室７０Ａ内の水の重みが加わらない。但し上方にある小水室７０Ａ内の水の重みは一部加わる）。
従って最下部の小水室７０Ａ内の水を、ストレーナメッシュ３８の通水孔の表面張力に抗してストレーナメッシュ３８と散水板２６との間に押し出す力が弱く、またたとえ最下部の小水室７０Ａ内の水がストレーナメッシュ３８と散水板２６との間に流出したとしても、その後においてストレーナメッシュ３８と散水板２６との間への水室７０側からの水の供給が長くは続かず、従ってポタ漏れを生じたとしても、そのポタ漏れを速やかに停止させることができる。
【００４６】
またこの実施形態では、そもそもストレーナメッシュ３８が散水板２６裏面に対して接触状態に維持されるため、止水後にそれらの間の空間（隙間）に初期のポタ漏れの原因となる残水が多く残ってしまうといったことを防止できるのに加えて、ストレーナメッシュ３８と散水板２６との間に水膜を生成させることによって、ストレーナメッシュ３８の通水孔や散水板２６の散水孔３６を通じての水の移動に対する水膜の抵抗作用でポタ漏れを抑制できる効果も期待できる。
【００４７】
尚、制作上の誤差によって散水板２６の裏面に凹凸が生じている場合、散水板２６を吐水本体１４に強くねじ込んで組み付けたときに、散水板２６の突部とメッシュ押え７２とがストレーナメッシュ３８を局部的に強く挟み込み且つねじり方向に力を加えてしまうと、ストレーナメッシュ３８が損傷を生じる恐れがある。
【００４８】
これを避けるために、図７に示しているようにストレーナメッシュ３８と散水板２６の裏面との間に微小な隙間、例えば０．５ｍｍ程度の隙間をストレーナメッシュ３８と散水板２６の裏面との間に設定しておいても良い。
この場合においてもポタ漏れの現象を抑制することが可能である（０．５ｍｍ程度の隙間であればそこに十分に水膜が生成される）。
【００４９】
また押圧部５２の溝５６の溝深さをストレーナメッシュ３８の外周部のフレーム部材４２の厚みと同寸法としておいた場合、同じく製作誤差によって溝５６の深さの方がフレーム部材４２の厚みよりも深くなってしまうことも生じ得る。この場合押圧部５２によってフレーム部材４２を散水板２６の外周部の固定部４６に対して押圧できないことも生じ得る。
従って図７に示しているように設計上、溝５６の深さをフレーム部材４２の厚みよりも僅かに浅く設定しておいても良い。
【００５０】
この場合隣合う小水室７０Ａと７０Ａとは、押圧部５２特に溝５６よりも内周側の部分で微小な隙間を介して繋がった状態となることもあるが、この隙間は微小であるため実質的に小水室７０Ａ間での水の移動は抑制される。
但しそのためには溝５６の深さとフレーム部材４２の厚みとの差を最大でも１.０ｍｍ以下となしておくのが良い。
またストレーナメッシュ３８と散水板２６の裏面との間の隙間についても最大で０．４ｍｍ以下となしておくのが良い。
【００５１】
以上本発明の実施形態を詳述したがこれはあくまで一例示である。
例えば本発明ではリブ状のメッシュ押えを上例以外の他の様々な形態で設けるといったことも可能である。
図８はその具体例を示したもので、図８（Ａ）に示しているように、メッシュ押えを円弧状に延びるメッシュ押え９２となすことも可能である。またメッシュ押えを放射状に延びるメッシュ押え７２となす場合において、図８（Ｂ）に示すようにその数を上記実施形態よりも少なくすることも可能である。
また図８（Ｃ）に示しているように、メッシュ押えを格子状をなすように延びるメッシュ押え９４として構成するといったことも可能である等、本発明はその趣旨を逸脱しない範囲において種々変更を加えた形態で構成可能である。
【符号の説明】
【００５２】
１０ シャワーヘッド
１４ ヘッド本体
２２ 給水路
２４ 開口
２６ 散水板
３６ 散水孔
３８ ストレーナメッシュ
４０ 散水板アダプタ
４８ 筒状部
５０ 水流通路
５１ 壁
７０ 水室
７０Ａ 小水室
７２ メッシュ押え
【図１】
0006001700.tif 000002
【図２】
0006001700.tif 000003
【図３】
0006001700.tif 000004
【図４】
0006001700.tif 000005
【図５】
0006001700.tif 000006
【図６】
0006001700.tif 000007
【図７】
0006001700.tif 000008
【図８】
0006001700.tif 000009